(57)【要約】【課題】石油系炭化水素油と水とが長期間にわたり分離しにくく、特に石油系炭化水素油が重油である場合に、燃焼時の窒素酸化物や硫黄酸化物やカーボンの発生が少ない燃料油を提供する。【解決手段】円筒状容器１１と、円筒状容器１１内の中心部を延びるセンターパイプ１５と、円筒状容器１１の内周面とセンターパイプ１５の外周面との間の円筒状領域１９に配設された円筒状網２１，２２とを備えたミキサー１０を使用し、石油系炭化水素油と水と添加物とを含む原料液を、円筒状領域１９において螺旋状に旋回させ、円筒状網２１，２２の網目を通過させて混合する。【選択図】図３
2015124328.tif 000002
【特許請求の範囲】
【請求項１】
円筒状容器（１１）と、円筒状容器内の中心部を延びるセンターパイプ（１５）と、円筒状容器の内周面とセンターパイプの外周面との間の円筒状領域（１９）に配設された円筒状網（２１，２２）とを備えたミキサー（１０）を使用し、石油系炭化水素油と水と添加物とを含む原料液を、円筒状領域（１９）において螺旋状に旋回させ、円筒状網（２１，２２）の網目を通過させて混合することを特徴とする燃料油の製造方法。
【請求項２】
添加物は、リパーゼ含有酵素である請求項１記載の燃料油の製造方法。
【請求項３】
添加物は、リパーゼ含有酵素粉末とゼオライト粉末との混合物である請求項２記載の燃料油の製造方法。
【請求項４】
原料液に、有機溶剤を加える請求項１〜３のいずれか一項に記載の燃料油の製造方法。
【請求項５】
円筒状容器（１１）と、円筒状容器内の中心部を延びるセンターパイプ（１５）と、円筒状容器の内周面とセンターパイプの外周面との間の円筒状領域（１９）に配設された円筒状網（２１，２２）とを備えたミキサー（１０）を含み、石油系炭化水素油と水と添加物とを含む原料液が、円筒状領域（１９）において螺旋状に旋回するように構成されていることを特徴とする燃料油の製造装置。
【請求項６】
センターパイプ（１５）は、円筒状容器の一方の端壁（１３）を貫通して、基端が円筒状容器内で原料液（Ｌ）の流出口（１８）として開口し、先端が円筒状容器外で燃料液（Ｆ）の吐出口（１６）として開口しており、円筒状容器の側壁（１２）における前記一方の端壁（１３）付近に、原料液（Ｌ）の流入口（２０）が、原料液の流入方向が円筒状容器の中心から偏るように設けられている請求項５記載の燃料油の製造装置。
【請求項７】
径の異なる二以上の円筒状網（２１，２２）が同軸状に固定された請求項５又は６記載の燃料油の製造装置。
【請求項８】
円筒状網（２１，２２）の網目が、１〜３メッシュである請求項５〜７のいずれか一項に記載の燃料油の製造装置。
【請求項９】
ミキサーは、円筒状の撹拌タンク（６）に装着され、流入口（２０）に撹拌タンク内の原料液（Ｌ）が供給され、吐出口（１６）は撹拌タンク内で開口し、吐出口からの燃料液（Ｆ）の吐出方向が撹拌タンクの中心から偏るように設けられた請求項５〜８のいずれか一項に記載の燃料油の製造装置。
【請求項１０】
二以上のミキサー（１０）が、撹拌タンク（６）の筒長方向に並んで装着された請求項９記載の燃料油の製造装置。
【発明の詳細な説明】
【技術分野】
【０００１】
本発明は、石油系炭化水素油と水とを原料とする燃料油の製造方法及び製造装置に関するものである。
【背景技術】
【０００２】
近年、石油系炭化水素油（重油、軽油、ガソリン等）に水と添加剤（界面活性剤、乳化剤等）とを添加し、撹拌・混合させ、乳化させてなるエマルジョン燃料が注目されている（特許文献１〜３等）。燃料油の使用量を削減でき、その分だけＣＯ2が削減されるので環境に良いと考えられているからである。
【０００３】
そして、エマルジョン燃料の製造効率を高めるため、撹拌・混合の方法が従来より種々検討されている。
【０００４】
例えば、特許文献２には、石油系炭化水素油と添加水を含む混液が貯留された攪拌容器内において、噴射ノズルにより混液に第一旋回流を形成し、撹拌翼により混液に第２旋回流を形成する方法が開示されている。この方法によれば、燃料油中に水を短時間で分散化できるとされている。
【０００５】
また、特許文献３には、分解反応層内に設けられた、円錐状の内面に複数のピンが立設された攪拌器に、石油系炭化水素油と酵素水の混合物を流入させ、回転半径が徐々に小さくなる竜巻状に移動させる際に複数のピンによって攪拌する方法が開示されている。この方法によれば、石油系炭化水素油と酵素水を効率よく攪拌して分解反応させることができるとされている。
【先行技術文献】
【特許文献】
【０００６】
【特許文献１】特開２００１−３４８５７９号公報
【特許文献２】特開２００６−１１１６６６号公報
【特許文献３】特許第４３９８４３２号公報
【発明の概要】
【発明が解決しようとする課題】
【０００７】
しかし、石油系炭化水素油と水は、上記の方法でいくら撹拌・混合して拡散したとしても、油は油として、水は水として、それぞれ存在し続けるため、時間の経過とともに分離してしまう。添加剤（界面活性剤、乳化剤等）の工夫も行われているが、いまだ分離に対する十分な対策はない。
【０００８】
また、重油は分子構造の大小の重油質や軽油質、水や硫黄分、窒素分などの不純物から混ざり合った状態であるため、燃焼時に窒素酸化物（ＮＯx）や硫黄酸化物（ＳＯx）やカーボンといったものが発生してしまう。
【０００９】
そこで、本発明の目的は、石油系炭化水素油と水とを微細且つ効率的に混合・撹拌し、石油系炭化水素油と水とが分離しにくい燃料油を提供しようとするものである。また、特に石油系炭化水素油が重油である場合に、燃焼時の窒素酸化物や硫黄酸化物やカーボンの発生が少ない燃料油を提供しようとするものである。
【課題を解決するための手段】
【００１０】
（Ａ）燃料油の製造方法
円筒状容器と、円筒状容器内の中心部を延びるセンターパイプと、円筒状容器の内周面とセンターパイプの外周面との間の円筒状領域に配設された円筒状網とを備えたミキサーを使用し、石油系炭化水素油と水と添加物とを含む原料液を、円筒状領域において螺旋状に旋回させ、円筒状網の網目を通過させて混合することを特徴とする。
【００１１】
本発明によれば、石油系炭化水素油と水と添加物とを含む原料液が、円筒状領域において螺旋状に旋回するときに、円筒状網の網目を連続的に多数回通過して、多数のせん断・乱流が生じ、撹拌処理が微細且つ効率的に行われるため、石油系炭化水素油と水とが分離しにくい燃料油が得られる。
【００１２】
ここで、添加物としては、特に限定されないが、リパーゼを含有する酵素、分解反応触媒性化学薬品等を例示できる。
【００１３】
リパーゼを含有する酵素（以下「リパーゼ含有酵素」という。）は、石油系炭化水素油が加水分解する反応を触媒する（加水分解反応触媒性酵素）。よって、添加物としてリパーゼ含有酵素を用いた場合には、上記の多数のせん断・乱流とあいまって石油系炭化水素油が効率的に加水分解し、分離する水が減少する。このため、石油系炭化水素油に組み込む水の量を増やすことができるとともに、石油系炭化水素油と水とが長期間にわたり分離しにくい燃料油が得られる。
【００１４】
リパーゼ含有酵素としては、天然果実（パイナップル、マンゴー、アボカド、ノニ、サジー等の果実）から抽出したものを例示できる。
【００１５】
リパーゼ含有酵素の形態は、粉末が好ましい。
【００１６】
さらに、リパーゼ含有酵素粉末にゼオライト（沸石）粉末を配合したものが好ましい。ゼオライトは、アルミノケイ酸塩の晶構造中に空隙を持ち、吸着・触媒の作用があり、リパーゼ含有酵素粉末の酵素作用を活性させて、石油系炭化水素油の加水分解率を高めるからである。
【００１７】
分解反応触媒性化学薬品としては、シクロヘキサジン（Ｃ6Ｈ8）を例示できる。分解反応触媒性化学薬品は、リパーゼ含有酵素に加えて、添加してもよい。
【００１８】
さらに、上記の添加物に、酸化ナトリウム（Ｎａ2Ｏ）、三二酸化鉄（Ｆｅ2Ｏ3）等を加えてもよい。
【００１９】
上記の添加物は、まず水に混合することが好ましく、次にこの添加物混合水を石油系炭化水素油に混合することが好ましい。
【００２０】
さらに、原料液には有機溶剤を加えてもよい。有機溶剤としては、特に限定されないが、第２種有機溶剤（メタノール、エタノール、イソプロピルアルコール、アセトン、酢酸エチル、ノルマルヘキサン等）を例示でき、メタノールが好ましい。配合率は、特に限定されないが。水１００リットルに対してメタノール１０〜３０重量部が好ましい。
【００２１】
（Ｂ）燃料油の製造装置
円筒状容器と、円筒状容器内の中心部を延びるセンターパイプと、円筒状容器の内周面とセンターパイプの外周面との間の円筒状領域に配設された円筒状網とを備えたミキサーを含み、石油系炭化水素油と水と添加物とを含む原料液が、円筒状領域において螺旋状に旋回するように構成されていることを特徴とする。
【００２２】
センターパイプは、円筒状容器の一方の端壁を貫通して、基端が円筒状容器内で原料液の流出口として開口し、先端が円筒状容器外で燃料液の吐出口として開口しており、円筒状容器の側壁における前記一方の端壁付近に、原料液の流入口が、原料液の流入方向が円筒状容器の中心から偏るように設けられている態様を例示できる。
【００２３】
円筒状網は一重でもよいが、二重以上すなわち、径の異なる二以上の円筒状網が同軸状に配設されたものが好ましい。原料液が円筒状網に接触する箇所が多くなり、撹拌効率が高くなるからである。
【００２４】
円筒状網の網目は、特に限定されないが、１〜３メッシュが好ましい。１メッシュ未満であると、原料液が網目に接触する箇所が少なくなり、３メッシュを超えると、原料液が網目を通過する抵抗が大きくなりすぎるからである。
【００２５】
円筒状容器と円筒状網（二重以上の場合は最大径の円筒状網）との隙間、円筒状網の相互間の隙間、センターパイプと円筒状網（二重以上の場合は最小径の円筒状網）との隙間は、特に限定されないが、いずれも１０〜３０ｍｍであることが好ましい。
【００２６】
ミキサーは、円筒状の撹拌タンクに装着され、流入口に撹拌タンク内の原料液が供給され、吐出口は撹拌タンク内で開口し、吐出口からの燃料液の吐出方向が撹拌タンクの中心から偏るように設けられた態様を例示できる。
【００２７】
二以上のミキサーが、撹拌タンクの筒長方向に並んで装着されていることが好ましい。撹拌タンク内の筒長方向全体に原料液の旋回流が生じやすいからである。
【発明の効果】
【００２８】
本発明によれば、多数のせん断・乱流が生じ、石油系炭化水素油と水とを微細且つ効率的に混合・撹拌できるため、石油系炭化水素油と水とが分離しにくい燃料油が得られる。また、添加物としてリパーゼ含有酵素を用いた場合には、多数のせん断・乱流とあいまって石油系炭化水素油が効率的に加水分解し、分離する水が減少する。このため、石油系炭化水素油に組み込む水の量を増やすことができるとともに、石油系炭化水素油と水とが長期間にわたり分離しにくい燃料油が得られる。また、特に石油系炭化水素油が重油である場合に、燃焼時の窒素酸化物や硫黄酸化物やカーボンの発生が少ない燃料油が得られる。
【図面の簡単な説明】
【００２９】
【図１】実施例の燃料油製造装置の概略図である。
【図２】同装置における撹拌タンク（ミキサーを含む）を示し、（ａ）は平断面図、（ｂ）は側断面図である。
【図３】同ミキサーを示し、（ａ）は側断面図、（ｂ）は横断面図である。
【発明を実施するための形態】
【００３０】
円筒状容器１１と、円筒状容器１１内の中心部を延びるセンターパイプ１５と、円筒状容器１１の内周面とセンターパイプ１５の外周面との間の円筒状領域１９に配設された円筒状網２１，２２とを備えたミキサー１０を使用し、石油系炭化水素油と水と添加物とを含む原料液を、円筒状領域１９において螺旋状に旋回させ、円筒状網２１，２２の網目を通過させて混合する。石油系炭化水素油は、Ａ重油、Ｂ重油、Ｃ重油、軽油、灯油等とする。添加物は、リパーゼ含有酵素とし、これに、他の分解反応触媒性化学薬品等を加えてもよい。さらに、原料液に有機溶剤を加えてもよい。
【実施例】
【００３１】
＜燃料油製造装置の実施例＞
実施例の燃料油製造装置は、図１に示すように、基油タンク１、第１水タンク２、第２水タンク４、撹拌タンク６（ミキサー１０を含む）、噴射拡散タンク７、分離・熟成タンク８、及び、製品タンク９により構成されている。
【００３２】
基油タンク１は、原料の一つである石油系炭化水素油（以下「基油」という。）を貯溜するためのものである。貯留している基油は、必要量ずつパイプを通じて送り出される。基油は、例えばＡ重油、Ｂ重油、Ｃ重油、軽油、灯油等とすることができる。
【００３３】
第１水タンク２は、原料の一つである水を注入して貯溜し、添加物（後述する製造方法の実施例１，２では、リパーゼ含有酵素）を投入して、曝気し混合・撹拌するためのものである。底部には曝気のためのエア噴出装置３が設けられている。添加物を含んだ水は、必要量ずつパイプを通じて送り出される。
【００３４】
第２水タンク４は、第１水タンク２から注ぎ込まれた添加物を含む水を貯溜し、他の添加物（後述する製造方法の実施例１，２では、他の分解反応触媒性化学薬品（例えばシクロヘキサジン（Ｃ6Ｈ8））と有機溶剤（例えばメタノール））を投入して、曝気し混合・撹拌するためのものである。底部には曝気のためのエア噴出装置５が設けられている。以上の添加物を含んだ水は、必要量ずつパイプを通じて送り出される。
【００３５】
基油タンク１から送り出された基油と、第２水タンク４から送り出された添加物を含んだ水は、送られる途中で混合されて原料液となり、撹拌タンク６へパイプを通じて注ぎ込まれる。
【００３６】
撹拌タンク６は、注ぎ込まれた原料液を撹拌処理して燃料油を製造するためのものである。後述する製造方法の実施例１，２では、撹拌処理は基油の加水分解反応処理である。また、添加物としてシクロヘキサジン（Ｃ6Ｈ8）も加えることで、撹拌処理はエマルジョン化処理も伴う。
【００３７】
撹拌タンク６は、図２に示すように、円筒状をなし、筒長方向が縦方向となるように設置されており、複数のミキサー１０が装着されている。
【００３８】
ミキサー１０は、図３に示すように、円筒状容器１１と、円筒状容器１１内の中心部を延びるセンターパイプ１５と、円筒状容器１１の内周面とセンターパイプ１５の外周面との間の円筒状領域１９に配設され固定された円筒状網２１，２２とを備えたものである。円筒状容器１１の両端は端壁で閉鎖されている。円筒状容器１１の寸法は、特に限定されないが、例えば、内径は８０〜１２０ｍｍ程度、内法長さは２００〜３００ｍｍである。
【００３９】
センターパイプ１５は、円筒状容器１１の一方の端壁１３を貫通して、基端が円筒状容器１１内で原料液Ｌの流出口１８として開口し、先端が円筒状容器１１外で燃料液Ｆの吐出口１６として開口している。吐出口１６には、出口を絞り、筒内の圧力を上げるため、スプレーノズル１７が設けられている。センターパイプ１５の長さは、円筒状容器１１の内法筒長の５０％以上（図示例では８０〜９５％）であり、流出口１８と他方の端壁１４との間は、原料液が径方向に流れる隙間となっている。
【００４０】
円筒状容器１１の側壁１２における前記一方の端壁１３付近には、原料液の流入口２０が、原料液の流入方向が円筒状容器１１の中心から偏るように設けられており、もって原料液Ｌが円筒状領域１９において螺旋状に旋回するように構成されている。
【００４１】
円筒状網２１，２２は、網目１〜３メッシュの網が円筒状に湾曲されたものである。図示例では円筒状網が二重に、すなわち、相対的に小径の円筒状網２１と大径の円筒状網２２が同軸状に設けられている。小径の円筒状網２１とセンターパイプ１５との隙間、大径の円筒状網２２と円筒状容器１１との隙間、小径の円筒状網２１と大径の円筒状網２２との間の隙間は、いずれも１０〜３０ｍｍである。円筒状網２１，２２の長さは、円筒状容器１１の内法長さの５０％以上（図示例では８０〜９５％）であり、円筒状領域１９の全長に及んでいる。
【００４２】
ミキサー１０は、円筒状の撹拌タンク６（図示例ではその内部）に装着され、流入口２０には、撹拌タンク６内の原料液Ｌが底部の循環口２３からパイプを通じてポンプ２４により供給される。吐出口１６は撹拌タンク６内で開口し、製造された燃料液Ｆの吐出方向が撹拌タンク６の中心から偏るように設けられている。そして、二以上（図示例では三つ）のミキサー１０が、撹拌タンク６の筒長方向に並んで装着されている。
【００４３】
撹拌タンク６では、以上の構成により、原料液が撹拌タンク６→ミキサー１０→撹拌タンク６→ミキサー１０・・・の循環をする。まず、ミキサー１０では、原料液Ｌが、流入口２０から偏心して流入した円筒状領域１９において螺旋状に旋回し、円筒状網２１，２２の網目を連続的に多数回通過して、多数のせん断・乱流が生じる。そのため、上述した撹拌処理が微細且つ効率的に行われ、石油系炭化水素油と水とが分離しにくい燃料油が製造される。製造された燃料油Ｆは、流出口１８からセンターパイプ１５に入り、吐出口１６のスプレーノズル１７から、撹拌タンク６内に偏心して吐出する。偏心して吐出された燃料油Ｆは、撹拌タンク６内を旋回するため、撹拌タンク６内の原料液Ｌと、かき混ぜられる。かき混ぜられた原料液Ｌと燃料油Ｆは、再びミキサー１０に送られ、燃料油Ｆとなって撹拌タンク６内に吐出される。これが所定時間繰り返されることにより、撹拌タンク６内はすべて燃料油Ｆとなる。この燃料油Ｆは、パイプを通じて噴射拡散タンク７に注ぎ込まれる。
【００４４】
噴射拡散タンク７は、内部に、プレート（図示略）と、注ぎ込まれた燃料油を噴射してプレートに当てる噴射器（図示略）が設けられ、その噴射拡散により燃料油をより細かく分解（クラスター化、粒子径３０〜５０ｎｍ）させる機能を有し、また、燃料油に振動を与えて残渣物を取り除きやすくする機能も有するものである。噴射拡散タンク７を経た燃料油は、分離・熟成タンク８へパイプを通じて注ぎ込まれる。
【００４５】
分離・熟成タンク８は、注ぎ込まれた燃料油を一定時間置くことにより、重力により燃料油と残渣物とを分離するとともに、燃料油の加水分解反応を進めるためのものである。残渣物は、基油と反応できなかった水や、基油中の不純物等である。残渣物が取り除かれた燃料油は、製品タンク９に注ぎ込まれる。
【００４６】
＜燃料油製造方法の実施例１＞
上述の燃料油製造装置を使用して行った、燃料油製造方法の実施例１について説明する。
基油タンク１に貯溜した基油は、軽油である。第１水タンク２に貯溜した水は、水道水を電気分解し、さらに逆浸透膜に通して浄化した軟水（ｐＨ２〜４）である。
【００４７】
第１水タンク２に投入した添加物は、パイナップル果汁から抽出したリパーゼ含有酵素粉末３質量％と、ゼオライト粉末（＃７００）９５質量％と、セラミック粉（医王石）２質量％の混合物である。水１０００ｇに対して、この混合物５００ｇを投入し、曝気して混合した。なお、リパーゼ含有酵素粉末の配合率は２〜１０質量部が好ましい。
【００４８】
第２水タンク４に投入した添加物は、酸化ナトリウム（Ｎａ2Ｏ）２６．５質量％、三二酸化鉄（Ｆｅ2Ｏ3）４０質量％、卵白質８．５質量％、シクロヘキサジン（Ｃ6Ｈ8）２５質量％の混合物である。シクロヘキサジンは加水分解反応を促進させる。水１０００ｇに対して、この混合物１００ｇを投入し、曝気して混合した。
さらに、第２水タンク４には、メタノールも投入し、その投入量は次の混合比となるようにした。
【００４９】
基油タンク１及び第２水タンク４から延びるパイプの途中に設けられた混合器（図示略）で、軽油３５０リットルと、添加物を含む水１２５リットルと、メタノール２５リットルとが混合されるように調整して、原料液とした。
【００５０】
上記の原料液を撹拌タンク６へ注ぎ込んで、１５分、撹拌処理した。撹拌タンク６では、上述のとおり、原料液をミキサー１０の円筒状領域１９において螺旋状に旋回させ、円筒状網２１，２２の網目を通過させて混合することにより、撹拌処理が微細且つ効率的に行われ、燃料油が製造された。実施例１では、添加物として加水分解反応触媒性酵素（リパーゼ含有酵素粉末）と、ゼオライト、Ｎａ2Ｏ、Ｆｅ2Ｏ3を使用しているので、撹拌処理は軽油の加水分解反応処理であり、さらにエマルジョン化処理も行われている可能性がある。
【００５１】
撹拌タンク６で製造された燃料油は、噴射拡散タンク７による上記噴射拡散処理と、分離・熟成タンク８による上記分離・熟成処理を経て、製品タンク９に貯溜された。上述の原料液（軽油３５０リットル＋添加物を含む水１２５リットル＋メタノール２５リットル）は、燃料油４５５リットルと、分離除去された残渣物４５リットルに変化した。残渣物４５リットルの成分を分析したところ、メタノール１０．３質量％（約５リットル）であり、残りは固形分を含む水であった。従って、得られた燃料油４５５リットルは、軽油３５０リットルに水約８５リットルとメタノール約２０リットルが取り込まれてなるものである。すなわち、容積比で軽油４に対して水１が燃料油に取り込まれた。
【００５２】
この燃料油（実施例１）と、基油に用いた軽油（比較例１）について、分析及び試験を行った。その結果を次の表１に示す。燃料油（実施例１）は、軽油（比較例１）と同等の総発熱量を示した。
【００５３】
【表１】
2015124328.tif 000003
【００５４】
また、この燃料油（実施例１）は、製造後１年１０ヶ月経過しても、軽油と水との顕著な分離は見られなかった。
【００５５】
＜燃料油製造方法の実施例２＞
上述の燃料油製造装置を使用して行った、燃料油製造方法の実施例２について説明する。
実施例２は、基油タンク１に貯溜した基油がＡ重油である点と、基油３００リットルと、添加物を含む水１６０リットルと、メタノール４０リットルとが混合されるように調整して原料液とした点において実施例１と相違し、その他は実施例１と同様に行った。
【００５６】
上述の原料液（Ａ重油３００リットル＋添加物を含む水１６０リットル＋メタノール４０リットル）は、燃料油４２０リットルと、分離除去された残渣物８０リットルに変化した。容積比でＡ重油３に対して水１が燃料油に取り込まれた。
【００５７】
この燃料油（実施例２）と、基油に用いたＡ重油（比較例２）について、分析及び試験を行った。その結果を次の表２に示す。燃料油（実施例２）は、Ａ重油（比較例２）と同等の総発熱量を示した。
【００５８】
【表２】
2015124328.tif 000004
【００５９】
さらに、燃料油（実施例２）とＡ重油（比較例２）について、燃焼時の排ガス測定試験を行った。その結果を次の表３に示す。燃料油（実施例２）は、Ａ重油（比較例２）よりも、排ガス中の窒素酸化物（ＮＯx）や硫黄酸化物（ＳＯx）や残留炭素分（カーボン）が少なく、クリーンな燃料であることが分かった。
【００６０】
【表３】
2015124328.tif 000005
【００６１】
また、この燃料油（実施例２）は、製造後１年１０ヶ月経過しても、Ａ重油と水との顕著な分離は見られなかった。
【００６２】
なお、本発明は前記実施例に限定されるものではなく、発明の趣旨から逸脱しない範囲で適宜変更して具体化することもできる。
【符号の説明】
【００６３】
１    基油タンク
２    第１水タンク
３    エア噴出装置
３    リパーゼ含有酵素粉末
４    第２水タンク
５    エア噴出装置
６    撹拌タンク
７    噴射拡散タンク
８    分離・熟成タンク
９    製品タンク
１０    ミキサー
１１    円筒状容器
１２    側壁
１３    一方の端壁
１４    他方の端壁
１５    センターパイプ
１６    吐出口
１７    スプレーノズル
１８    流出口
１９    円筒状領域
２０    流入口
２１    （小径の）円筒状網
２２    （大径の）円筒状網
２３    循環口
２４    ポンプ
Ｌ    原料液
Ｆ    燃料液
【図１】
2015124328.tif 000006
【図２】
2015124328.tif 000007
【図３】
2015124328.tif 000008